(57)【要約】【課題】従来のＰＯＰ用品においては、表示機能を高めるうえでのさらなる開発が求められていた。【解決手段】商品陳列棚やショーケース等の各種構造体に取付ける広告装置に付加する表示装置であって、広告装置Ａ１に取付ける本体部１に、電力による発光部２を設けた表示装置とすることで、発光部２により同広告装置Ａ１をより目立たせることができ、消費者の関心を惹き付けて、宣伝広告機能のさらなる向上に貢献することができる。【選択図】図１
2010008903.tif 000002
【特許請求の範囲】
【請求項１】
商品類の広告装置に付加する表示装置であって、広告装置に取付ける本体部に、電力による発光部を設けたことを特徴とする表示装置。
【請求項２】
発光部が、広告装置に本体部を取付けた状態で、広告装置の少なくとも横方向に向けて配置してあることを特徴とする請求項１に記載の表示装置。
【請求項３】
複数の本体部を備え、いずれか一つの本体部に接続して発光部に電力を供給する電源コードと、本体部同士の間で送電する接続コードを備えたことを特徴とする請求項１又は２に記載の表示装置。
【請求項４】
請求項１〜３のいずれか１項に記載の表示装置を備えたことを特徴とする広告装置。
【請求項５】
請求項１又は２に記載の表示装置を一体化したことを特徴とする広告装置。
【発明の詳細な説明】
【技術分野】
【０００１】
本発明は、商品陳列棚等の構造体に取付けた広告装置に付加して用いられる表示装置に関するものである。
【背景技術】
【０００２】
一般に、商品やサービスの宣伝広告を省スペースで行うことができ、消費者の購買意欲を喚起するためのものとして、いわゆるＰＯＰ用品が種々開発されている。ＰＯＰ用品には、例えば、商品陳列棚等の構造体において、宣伝広告を記載したプレートやシート類を固定保持するものや、商品名を記載したカード類を動作可能に保持してより目立つようにしたものがあり、とくに後者のものはアイキャッチャーとも呼ばれている。
【０００３】
また、近年では、商品陳列棚等の構造体に取付けて、ＴＶ画面により商品の宣伝広告を行う電子広告装置も実用化されている（例えば、特許文献１参照）。
【特許文献１】特開２００１−６７５５１号公報
【発明の開示】
【発明が解決しようとする課題】
【０００４】
上記のように、ＰＯＰ用品としては既に様々なものが実用化されているが、広告類の表示は極めて多種多様であることから、この種の装置に対する要望が留まることはなく、表示機能を高めるうえでのさらなる開発が求められている。
【０００５】
本発明は、上記従来の状況に鑑みて成されたものであって、商品類の広告装置に付加することで同広告装置をより目立たせることができる表示装置を提供することを目的としている。
【課題を解決するための手段】
【０００６】
本発明の表示装置は、陳列棚やショーケース等の各種構造体に取付ける商品類の広告装置に付加するものであって、広告装置に取付ける本体部に、電力による発光部を設けた構成としており、上記構成をもって従来の課題を解決するための手段としている。
【発明の効果】
【０００７】
本発明の表示装置によれば、商品類の広告装置に付加することで同広告装置をより目立たせることができ、消費者の関心を惹き付けて、宣伝広告機能のさらなる向上に貢献することができる。
【発明を実施するための最良の形態】
【０００８】
図１及び図２は、本発明の表示装置の一実施形態を説明する図である。
図１に示す表示装置は、商品類の広告装置Ａ１に付加するものであって、広告装置Ａ１に取付ける本体部１に、電力による発光部２を備えており、この実施形態では、複数の本体部すなわち広告装置Ａ１の左右に取付ける一対の本体部１，１を備えている。
【０００９】
この実施形態の広告装置Ａ１は、ケースＢに、ＴＶ画面Ｐや外部端子を配列した凹状の接続部Ｃのほか、受信機、制御回路、スピーカー及び音量調整部などを備えたものである。
【００１０】
これに対して、表示装置の本体部１は、水平断面が半円形状を成していて、広告装置Ａの側部への取付面となる平坦面１ａと、その反対側となる湾曲面１ｂを有し、湾曲面１ｂの頂部に発光部２を備えている。この実施形態の発光部２は、竪に一定間隔で配置した複数（図示例では５個）の発光ダイオード２ａである。発光ダイオード２ａを用いることにより、長期にわたって小電力で充分な明度の発光が可能となる。
【００１１】
また、本体部１は、その下端部に、後記する接続コード３や接続端子４を備えると共に、図示しない内部には、発光部２、接続コード３及び接続端子４を電気的に接続する制御回路が収容してある。制御回路は、発光部２の動作制御も行う。
【００１２】
さらに、表示装置は、先述の如く一対の本体部１，１を備えていると共に、一方の本体部１に接続して発光部２に電力を供給するアダプタ付電源コード５と、本体部１，１同士の間で送電する第一の接続コード６と、広告装置Ａに電力を供給する第二の接続コード７を備えている。なお、図示例では、両本体部１，１に第一の接続コード６を接続し、一方の本体部１に第二の接続コード７が接続してあるが、これらのコード６，７は夫々着脱可能にすることもできる。
【００１３】
上記の表示装置は、広告装置Ａ１の側面に本体部１の平坦面１ａを取付ける。これにより、表示装置は、広告装置Ａ１の少なくとも横方向に向けて発光部２を配置した状態となる。なお、広告装置Ａへの本体部１の取付手段は、とくに限定されるものではなく、適宜形態の係脱可能な構造を設けても良いし、ねじ類や接着剤などを用いても良く、より望ましくは着脱可能な手段が良い。
【００１４】
上記構成を備えた表示装置は、図２に示すように広告装置Ａ１を商品陳列棚Ｍに固定した状態において、発光部２を点灯又は点滅させたり、各発光ダイオード２ａを順に点滅させたりすることで、広告装置Ａ１をより目立たせることができる。
【００１５】
また、上記のようにＴＶ画面Ｐを有する広告装置Ａ１は、プレート等の表示体を保持する簡易なＰＯＰ用品に比べれば、単価を大きくせざるを得ない。そこで、当該表示装置をアイキャッチャーとして付加することで、広告装置Ａ１の充分な活用や宣伝広告機能のさらなる向上に貢献することができる。換言すれば、当該表示装置は、ＴＶ画面Ｐ等の電子機器を有する広告装置Ａ１への適用に非常に有効である。
【００１６】
さらに、表示装置は、広告装置Ａ１に本体部１を取付けた状態で、広告装置Ａ１の少なくとも横方向に向けて発光部２が配置してあるので、例えば、多数の商品陳列棚が通路を介して平行に配置してあるような店内レイアウトにおいて、その通路の端からでも発光部２を容易に視認することができ、消費者の関心を惹き付けるものとなる。
【００１７】
さらに、表示装置は、複数の本体部１を備え、いずれか一つの本体部１に接続して発光部２に電力を供給する電源コード５と、本体部１，１同士の間で送電する接続コード６を備え、さらに、広告装置Ａに電力を供給する第二の接続コード７を備えたものとしているので、当該表示装置及び広告装置Ａ１に対する電力供給系を簡素化できると共に、各装置の増設に対処することも容易である。
【００１８】
そして、当該表示装置を付加した広告装置Ａ１は、表示装置の発光部２によって一層目立つものとなり、宣伝広告機能のさらなる向上を実現することができる。
【００１９】
図３及び図４は、上記の表示装置を備えた広告装置の実施形態を説明する図である。
図３に示す広告装置Ａ２は、図１に示す表示装置を一体化したものである。この場合には、広告装置Ａ２の内部に、ＴＶ画面Ｐや発光部２に電力供給を行う制御回路を一まとめにできるので、電力供給系は電源コード５のみとなる。この広告装置Ａ２にあっても、表示装置の発光部２によって一層目立つものとなり、宣伝広告機能のさらなる向上を実現することができる。
【００２０】
図４に示す広告装置Ａ３は、表示装置を一体化したものであって、表示装置が冷陰極管（小型蛍光灯）から成る発光部１２を備えている。この広告装置Ａ２にあっても、表示装置の発光部１２により、一層明るく目立つものとなり、宣伝広告機能のさらなる向上を実現することができる。
【００２１】
なお、本発明の表示装置及び広告装置は、その詳細な構成が上記各実施形態に限定されるものではなく、本発明の要旨を逸脱しない範囲で構成の細部を適宜変更することができる。また、上記各実施形態の表示装置及び広告装置は、外部から電力を受給するものとしたが、電池を内蔵するものでも良い。
【００２２】
さらに、表示装置は、電力を要する公告装置以外に適用することも可能であり、各種ＰＯＰ用品や商品パッケージなどを含む公告装置に付加して用いることも可能である。
【００２３】
さらに、表示装置は、発光部において、光源の光を乱反射する多面体を用いることも有効である。ここで、発光部に代えて、多面体で外光を乱反射させることも考えられる。しかしながら、一般的に、商店の陳列棚には、様々な形態や様々な色彩の商品が数多く陳列されているので、多面体のみの構成よりも光源により自ら発光する構成の方がはるかに目立ち易くなり、アイキャッチャーとして非常に有効である。
【図面の簡単な説明】
【００２４】
【図１】本発明の表示装置の一実施形態を説明する斜視図である。
【図２】図１に示す広告装置を陳列棚に取付けた状態を説明する斜視図である。
【図３】表示装置付の広告装置の一実施形態を説明する斜視図である。
【図４】表示装置付の広告装置の他の実施形態を説明する斜視図である。
【符号の説明】
【００２５】
Ａ１  Ａ２  Ａ３  広告装置
１                本体部
２                発光部
１２              発光部
５                電源コード
６  ７            接続コード
【図１】
2010008903.tif 000003
【図２】
2010008903.tif 000004
【図３】
2010008903.tif 000005
【図４】
2010008903.tif 000006